(57)【要約】【課題】本発明は二酸化塩素水溶液から高効率で気化二酸化塩素を得ることができ、優れた滅菌効果が期待できる滅菌方法を提供するものである。加えて安全性に富む気化方法によって必要とする気化二酸化塩素を安定に得ることができる滅菌方法を提供する。【解決手段】二酸化塩素の水溶液１を霧化し、該霧化二酸化塩素２を管路入口１２から導入して管路１１内を通し管路出口１３へ向け通流せしめ、該管路１１の途中で管路１１内を通流する霧化二酸化塩素２に加熱気体１４を供給し、該加熱気体１４の供給により管路１１内において霧化二酸化塩素２を気化し、該気化二酸化塩素３を上記管路出口１３から放出することにより滅菌対象の滅菌を図る滅菌方法。【選択図】        図１
2005245813.tif 000002
【特許請求の範囲】
【請求項１】
二酸化塩素の水溶液を霧化し、該霧化二酸化塩素に熱を与えて気化し、該気化二酸化塩素により滅菌することを特徴とする滅菌方法。
【請求項２】
二酸化塩素の水溶液を霧化し、該霧化二酸化塩素を管路入口から導入して管路内を通し管路出口へ向け通流せしめ、該管路の途中で管路内を通流する霧化二酸化塩素に加熱気体を供給し、該加熱気体の供給により管路内において霧化二酸化塩素を気化し、該気化二酸化塩素を上記管路出口から放出することにより滅菌対象の滅菌を図るようにしたことを特徴とする滅菌方法。
【請求項３】
上記二酸化塩素の水溶液に超音波振動を与えて上記霧化を図ることを特徴とする請求項１又は２記載の滅菌方法。
【発明の詳細な説明】
【技術分野】
【０００１】
本発明は二酸化塩素を使用した滅菌方法の改善に係る。
【背景技術】
【０００２】
上記二酸化塩素を使用した滅菌方法は胃カメラ等の医療器具滅菌、食品滅菌、室内滅菌等に使用されており、例えば特許文献１は多孔質のセラミック成形体内に二酸化塩素水溶液を含浸せしめ、該セラミック成形体に含浸している二酸化塩素水溶液にヒーターによる加熱を与えて気化しつつ、即ち液体から直接気体にして送風機によるエアブローにより該気化二酸化塩素を外部へ放出する方法を提供している。
【０００３】
又特許文献２は安定化二酸化塩素水溶液に紫外線を照射し、気化二酸化塩素を得る方法を示している。
【特許文献１】特開平８−７１４号公報
【特許文献２】特開２００４−５０１３１号公報
【発明の開示】
【発明が解決しようとする課題】
【０００４】
然るに前者においては、二酸化塩素水溶液を含浸せるヒーターをセラミックに接近して配置し、二酸化塩素水溶液を直接加熱するため、二酸化塩素の発火点が８０℃程度と極めて低く、上記加熱によって爆発する危険性を有しており、実際には実施困難である。
【０００５】
又液を直接加熱する気化方法では、気化効率に著しく劣り、適切な量の気化二酸化塩素（二酸化塩素ガス）を供給し難い問題点を有している。
【０００６】
又特許文献２による紫外線照射方法では、安定化二酸化塩素水溶液から気化した二酸化塩素が紫外線によって分解し、本来の滅菌機能を著しく低下せしめる問題点を有している。
【課題を解決するための手段】
【０００７】
本発明は上記二酸化塩素水溶液から高効率で気化二酸化塩素を得ることができ、優れた滅菌効果が期待できる滅菌方法を提供するものである。
【０００８】
加えて本発明は安全性に富む気化方法によって必要とする気化二酸化塩素を安定に得ることができる滅菌方法を提供する。
【０００９】
要述すると、本発明は二酸化塩素の水溶液を任意の霧化手段を用いて霧化状態を形成し、その上で該霧化二酸化塩素にヒーター等による熱を与えて気化し、該気化二酸化塩素を滅菌に供する方法を採る。
【００１０】
上記二酸化塩素水溶液の霧化手段としては、二酸化塩素水溶液をノズルから噴出せしめる方法等が存するが、好ましい霧化手段として、二酸化塩素水溶液に超音波振動を与える方法を採る。
【００１１】
上記気化方法を採用した滅菌方法の更に具体手段として、上記霧化二酸化塩素を管路内を通し管路出口へ向け通流せしめ、該管路の途中で管路内を通流する霧化二酸化塩素に対し管路の出口へ向けた指向性を与える加熱気体を同管路内に供給する。
【００１２】
上記加熱気体の供給により管路内の出口の手前において霧化二酸化塩素を気化し、上記指向性により該気化二酸化塩素の上記管路出口からの放出を促進すると共に、上記指向性により上記霧化二酸化塩素の管路内通流速度を高めて上記気化量の増加を図り、上記管路出口からの気化二酸化塩素の放出による滅菌対象の滅菌効果を向上せしめた。
【発明を実施するための最良の形態】
【００１３】
以下本発明を実施するための最良の形態を図１乃び図２に基づき説明する。
【００１４】
本発明は二酸化塩素水溶液１の気化に当たり、先ず二酸化塩素の水溶液１を任意の霧化手段を用いて霧化状態にする。
【００１５】
次に上記霧化二酸化塩素２にヒーター４等による熱を直接与えずに、空気をヒーター等により加熱して加熱気体１４を得、該加熱気体１４を送風機１６により上記霧化二酸化塩素２に与えて気化し、該気化二酸化塩素３を滅菌に供する。
【００１６】
上記二酸化塩素水溶液１の濃度は１ｐｐｍ〜１０，０００ｐｐｍが安全上適切である。
【００１７】
上記二酸化塩素水溶液の霧化手段としては、二酸化塩素水溶液をノズルから噴出せしめる方法の他、好ましい霧化手段として超音波振動子５を用い、該超音波振動子５の振動板６を二酸化塩素水溶液１内に設置し、二酸化塩素水溶液１を貯留する容器７に振動を与えず、二酸化塩素水溶液１に振動板６による超音波振動を直接付与する。
【００１８】
上記気化方法を採用した滅菌方法の具体例として、図１は室内空気の滅菌を目的とした移動型滅菌装置を構成した場合、図２は手又は器具等の滅菌対象物の滅菌を目的とした移動型滅菌装置を構成した場合を例示している。
【００１９】
上記図１，２に示すように、上記装置は外囲器１７の内底部に二酸化塩素水溶液１の貯留容器７を備え、該貯留容器７に二酸化塩素水溶液１を収容せるカセットタンク８から二酸化塩素水溶液１を供給する。
【００２０】
カセットタンク８は貯留容器７に対して注ぎ口９を下にして直立且つ抜き差し可に差し込み、注ぎ口９を貯留容器７内の二酸化塩素水溶液１の液面１０から液内へ浸入せしめ、液面１０が注ぎ口９の開口面より低下した時にタンク８内から容器７内へ二酸化塩素水溶液１を補給し、液面１０が常時一定に保たれるようにする。
【００２１】
上記容器７の底板に超音波振動子５を取り付け、該超音波振動子５の振動板６を底板を通して容器７内の二酸化塩素水溶液１内に配置する。即ち振動板６はその振動面が上向きとなるように、液内に配置する。
【００２２】
他方上記容器７の天板に管路１１を取り付け、該管路１１の入口１２を容器７内に開口せしめ、即ち容器７内の液面１０上の上部空間内に開口せしめ、よって管路１１の入口１２と振動板６の振動面とを対向して配置する。
【００２３】
好ましくは、振動板６の直径Ｗ１と管路１１の入口１２の直径Ｗ２を略等しくし、上下に対向配置にする。
【００２４】
管路１１の入口１２は拡径口にて形成し、管路１１本体は該拡径口より充分に小径のパイプにて形成する。
【００２５】
超音波振動子５の振動板６はその振動面が接する面域に限定して二酸化塩素水溶液１を局部的に振動せしめ、液面１０からの霧化を促し、この霧化が促された面域の霧化二酸化塩素２を上記拡口された入口１２にて適切に採取する。
【００２６】
斯くして霧化二酸化塩素２を直立管路１１内を通し管路１１上端に設けた出口１３へ向け通流せしめ、該管路１１の途中で管路１１内に加熱気体（加熱空気）１４を圧力的に供給する。
【００２７】
例えば、管路１１の途中に管路１１内へ開口する枝管１５を設け、該枝管１５にヒーター４を配すると共に、枝管１５の上記管路内開口とは反対側の端部に送風機１６を配し、該送風機１６により圧力的にエアブローしてヒーター４による加熱気体１４を管路１１内へ吐出する。
【００２８】
上記枝管１５は管路１１内を通流する霧化二酸化塩素２に対し管路１１の出口１３へ向けた指向性を与える角度αに設置する。即ち枝管１５は管路１１の出口１３側へ向け上り勾配となる傾斜角度αを以って配設し、上記指向性を与える。
【００２９】
上記加熱気体１４の供給により管路１１内の出口１３の手前において霧化二酸化塩素２を気化し、上記指向性により該気化二酸化塩素３の上記管路出口１３からの放出流速を高め、放出を促進すると共に、上記指向性により上記霧化二酸化塩素２の管路１１内通流速度を高めて上記気化量の増加を図る。
【００３０】
よって上記管路出口１３からの気化二酸化塩素３の放出による滅菌対象の滅菌効果を向上せしめる。
【００３１】
図１においては上記管路出口１３を室内空気中へ向け放出するように配し、図２においては外囲器１７の前面に手差し入れ口１８を設けるか、滅菌対象物の載置台１９を設け、上記管路出口１３を該手差し入れ口１８又は載置台１９へ向け下向きに配向し、手又は載置台１９上に載置された滅菌対象物に上記気化二酸化塩素３を集中して噴出せしめるようにしている。
【００３２】
外囲器１７の前面には扉２０を設け、上記カセットタンク８の交換を可能にする。又上記外囲器１７の下面には転子２１を設け、滅菌装置の移動を容易にする。
【００３３】
又上記貯留容器７の天板には液面１０上の容器内空間に開口する採気口２２を設ける。例えば、天板から採気管２３を立ち上げ、該採気管２３の下端を上記液面１０上の容器内空間に開口させ、上端をカセットタンク８の液面１０′より上位において開口せしめる。
【図面の簡単な説明】
【００３４】
【図１】本発明に係る滅菌方法を使用する滅菌装置の一例を概示する断面図。
【図２】本発明に係る滅菌方法を使用する滅菌装置の他例を概示する断面図。
【符号の説明】
【００３５】
１…二酸化塩素水溶液、２…霧化二酸化塩素、３…気化二酸化塩素、４…ヒーター、５…超音波振動子、６…振動板、７…貯留容器、８…カセットタンク、９…カセットタンク注ぎ口、１０，１０′…液面、１１…管路、１２…管路入口、１３…管路出口、１４…加熱気体、１５…枝管、１６…送風機、１７…外囲器、１８…手差し入れ口、１９…滅菌対象物載置台、２０…扉、２１…転子、２２…採気口、２３…採気管
【図１】
2005245813.tif 000003
【図２】
2005245813.tif 000004